(57)【要約】【課題】残りのフィルム枚数がわずかであることを高い確度で、又、撮影行為に支障を来さないで、又、撮影条件に応じた相応の条件で撮影者に認識させるカメラの表示装置を提供することを目的とする。【解決手段】本発明のカメラの表示装置は、残り撮影可能コマ数を検出する残りコマ数検出手段と、前記残り撮影可能コマ数が基準値以下であるかどうかの判定をする判定手段と、前記残り撮影可能コマ数に関してファインダーに警告表示をする表示手段と、前記基準値以下であるという前記判定手段の判定に基づいて撮影終了後の所定時間前記警告表示をするように前記表示手段を駆動する表示駆動制御手段とを具える。【選択図】    図６
2004251929.tif 000002
【特許請求の範囲】
【請求項１】
残り撮影可能コマ数を検出する残りコマ数検出手段と、
前記残り撮影可能コマ数が予め決めた基準値以下であるかどうかの判定をする判定手段と、
前記残り撮影可能コマ数に関してファインダーに警告表示をする表示手段と、
前記所定枚数値以下であるという前記判定手段の判定に基づいて撮影終了後の所定時間前記警告表示をするように前記表示手段を駆動する表示駆動制御手段とを具えることを特徴とするカメラの表示装置。
【請求項２】
残り撮影可能コマ数を検出する残りコマ数検出手段と、
予め決めた複数の基準値からひとつの基準値を選択する選択手段と、
前記残り撮影可能コマ数が前記選択手段によって選択された基準値以下であるかどうかの判定をする判定手段と、
前記残り撮影可能コマ数に関してファインダーに警告表示する表示手段と、
前記基準値以下であるという前記判定手段の判定に基づいて前記警告表示をするように前記表示手段を駆動する表示駆動制御手段とを具えることを特徴とするカメラの表示装置。
【請求項３】
単写モードと連写モードとを設定可能なモード選択手段を更に具え、前記選択手段は、前記モード選択手段によって設定されたモードに応じて前記基準値を選択することを特徴とする請求項２記載のカメラの表示装置。
【請求項４】
装填されている撮像媒体の容量に応じて異なる前記基準値を決め、前記選択手段は、装填されている撮像媒体の容量に応じて異なる前記基準値を選択することを特徴とする請求項２又は３に記載のカメラの表示装置。
【請求項５】
前記表示手段は、フィルムのパトローネ形状を形取ったアイコンから成ることを特徴とする請求項１〜４何れか１項記載のカメラの表示装置。
【発明の詳細な説明】
【０００１】
【発明の属する技術分野】
本発明は、カメラのフィルム等の撮像媒体に残り撮影可能コマ数が少なくなった場合に警告表示を行なう表示装置に関する。
【０００２】
【従来の技術】
写真撮影中予想していないときにフィルムの残り枚数が無くなると、新たなフィルム装填を行うまでその後の撮影に支障をきたすことが起きる。
【０００３】
従来、撮影中に覗き込むファインダー視野内、又はカメラボディ表面上の表示パネルにフィルムカウンターを設け、撮影済み枚数、あるいは残り撮影可能枚数を表示するカメラがある。
【０００４】
又、被写体像の情報を記録する記録装置の未記録容量が所定の値以下になったときに前記未記録容量を表示手段に表示する撮像装置が知られている。（例えば、特許文献１参照。）
更に、眼科画像を記録する記録手段の未撮影の残り枚数が所定の告示枚数になったときに、これを撮影者がファインダーを覗いた状態で認識できるよう告示する告示手段を具える眼科用撮影装置が知られている。（例えば、特許文献２参照。）
【０００５】
【特許文献１】
特開平０７−３８７８５号公報
【特許文献２】
特開平０７−３９５２４号公報
【０００６】
【発明が解決しようとする課題】
しかしながら、従来のカメラでは、フィルムカウンターはファインダー視野内、又はカメラボディ面上の表示パネルに常時表示されているので、残り枚数が少ないことに撮影者が気付きにくく見落とすことがあった。
【０００７】
又、従来の特許文献１、２で開示された撮像装置、撮影装置も、残り枚数が少ないことを撮影者に気付かせる確実性が不足していた。
【０００８】
本発明は、以上のような問題を解決するために為されたものであり、撮影可能なフィルムがわずかであることを高い確度で撮影者に認識させるカメラの表示装置を提供することを目的とする。
【０００９】
又、本発明は、残りの撮影可能なフィルムがわずかであることを、撮影行為に支障を来さないで撮影者に認識させるカメラの表示装置を提供することを目的とする。
【００１０】
更に、本発明は、残りの撮影可能なフィルムがわずかであることを、撮影条件に応じた相応の条件で撮影者に認識させるカメラの表示装置を提供することを目的とする。
【００１１】
【課題を解決する為の手段】
以上の課題を解決する為に、本発明の第一の態様のカメラの表示装置は、残り撮影可能コマ数を検出する残りコマ数検出手段と、前記残り撮影可能コマ数が基準値以下であるかどうかの判定をする判定手段と、前記残り撮影可能コマ数に関してファインダーに警告表示をする表示手段と、前記基準値以下であるという前記判定手段の判定に基づいて撮影終了後の所定時間前記警告表示をするように前記表示手段を駆動する表示駆動制御手段とを具えるものである。
【００１２】
本発明の第二の態様のカメラの表示装置は、残り撮影可能コマ数を検出する残りコマ数検出手段と、予め決めた複数の基準値からひとつの基準値を選択する選択手段と、前記残り撮影可能コマ数が前記選択手段によって選択された基準値以下であるかどうかの判定をする判定手段と、前記残り撮影可能コマ数に関してファインダーに警告表示する表示手段と、前記基準値以下であるという前記判定手段の判定に基づいて前記警告表示をするように前記表示手段を駆動する表示駆動制御手段とを具えるものである。
【００１３】
本発明の第三の態様は、第二の態様のカメラの表示装置であって、単写モードと連写モードとを設定可能なモード選択手段を更に具え、前記選択手段は、前記モード選択手段によって設定されたモードに応じて前記基準値を選択するものである。
【００１４】
本発明の第四の態様は、第二又は第三の態様のカメラの表示装置であって、装填されている撮像媒体の容量に応じて異なる前記基準値を決め、前記選択手段は、装填されている撮像媒体の容量に応じて異なる前記基準値を選択するものである。
【００１５】
本発明の第五の態様は、第一〜第四の態様の何れかのカメラの表示装置であって、前記表示手段は、フィルムのパトローネ形状を形取ったアイコンから成るものである。
【００１６】
【発明の実施の形態】
図１は第一、第二、及び第三実施形態に共通なカメラの表示装置の構成を示すブロック図である。
【００１７】
以下図１を参照して本実施形態のカメラの表示装置の説明をする。
【００１８】
本実施形態のカメラの表示装置は、制御装置１と、この制御装置１に各々接続された半押しスイッチ（ＳＷ１）２とレリーズスイッチ（ＳＷ２）３とフィルム給送手段４とタイマー回路５と給送モード選択手段６とフィルム枚数情報読み取り手段７と記憶手段８と残りフィルム枚数検出手段９と表示手段１０と表示駆動手段１１とから構成される。
【００１９】
制御装置１はＣＰＵ（ｃｅｎｔｒａｌ  ｐｒｏｃｅｓｓｉｎｇ  ｕｎｉｔ）から成り、本実施形態のカメラの表示装置全体の動作の制御を行なう。半押しスイッチ（ＳＷ１）２は不図示のレリーズ釦の半押しでオンするスイッチであり、このスイッチがオンすると焦点調節、露出測定、等が始まる。レリーズスイッチ（ＳＷ２）３は不図示のレリーズ釦の全押しでオンするスイッチであり、このスイッチがオンするとフィルムへの露光が行なわれる。フィルム給送手段４は装填したフィルムを給送し、又撮影シーケンスにて露光後にフィルム１コマ（枚）分を巻き上げる。タイマー回路５はカメラ動作の計時を行う際に利用される。
【００２０】
給送モード選択手段６は撮影動作が１コマづつ撮影する単写モードか、複数のコマを連続して撮影するいわゆる連写モードかを選択する。
【００２１】
フィルム枚数情報読み取り手段７は装填されているフィルムの撮影可能枚数を読み取る。読み取りの為にフィルムのＤＸコードを用いる。記憶手段８はカメラの動作に必要なプログラム、及びデータを記憶しており、制御装置１の動作時にはその動作に必要なプログラム、データを制御装置１へ読み出す。
【００２２】
残りフィルム枚数検出手段９は装填しているフィルムの残り撮影可能枚数データを検出する。本実施形態のカメラではフィルム装填方式を所謂プリワインディング方式としているので、フィルム装填時にまずフィルムを終端まで巻き取ることで撮影可能枚数を割り出すことができ、その後の撮影毎に撮影枚数をこの撮影可能枚数から減算して残り枚数を導き出す。
【００２３】
表示手段１０は表示素子から構成され、ファインダーの視野画面内に撮影画面と重ね合わせて警告表示用のアイコンを表示点灯させることによってフィルムの残り枚数に関して警告表示する。表示手段１０は、その他に、電池消耗時にもアイコンを表示点灯させて警告表示しても良い。又、この他にファインダー視野外に撮影情報を示す文字列を表示しても良い。例えば、表示手段は、残りフィルム枚数が少なくなった時にパトローネアイコンを点滅させ、電池消耗時に電池アイコンを点灯表示させる。
【００２４】
表示駆動手段１１は制御装置１からの表示制御信号に基づき、表示手段１０を駆動して警告表示をする。請求項の表示駆動制御手段はこの表示駆動手段１１と、表示駆動手段１１に表示制御信号を送るための制御装置１が行なう信号処理の手段とを合わせた手段に対応する。
【００２５】
図２は、第一、第二、及び第三実施形態に共通なカメラの表示装置の表示手段１０のファインダーの視野画面１２に於ける点灯状態を示す図である。
【００２６】
図２に於いて、視野画面１２には表示手段１０としてパトローネアイコン１０が配置されて点灯している。尚、パトローネアイコン１０の右隣にはフィルムリーダーアイコン１４、電池アイコン１５も合わせて配置されており、全点灯状態が示されている。更に同じ視野画面１２の中央には複数の測距エリア１６を示す刻線が配置されている。
【００２７】
これらのアイコン１０、１４、１５は撮影者がファインダーの画面を観察した場合に視認性が高い視野画面１２の左下に配置されている。更にファインダーの視野外画面の下側には撮影情報を示す文字列表示素子１３が配置されている。
【００２８】
図３（ａ）、（ｂ）は、第一、第二、及び第三実施形態に共通なカメラの表示装置のファインダーの視野画面１２に表示手段１０であるパトローネアイコンを重ね合わせて警告表示する表示素子１７の正面図（ａ）、及び側面図（ｂ）である。表示素子１７は拡散型ＬＣＤパネルであり、電圧の印加で液晶の光散乱状態と透明状態とを制御することによりアイコンを表示出来るように構成されている。
【００２９】
表示素子１７の点線で囲まれた領域１８が視野画面に重ね合わせて表示される視野領域であり、パトローネアイコン１０を表示する表示部２０はこの視野領域１８内の右下に配置されている。この視野領域１８は、不図示の一眼レフのペンタプリズムを介してファインダーの視野画面１２に重ね合わせて結像されるので、パトローネアイコン１０は不図示のファインダー光学系によりファインダーの視野画面１２内では左下に見える。表示素子１７にパトローネアイコン表示部２０の隣に一緒に配置されているフィルムリーダーアイコン表示部２１、電池アイコン表示部２２についても同様である。
【００３０】
表示素子１７の右側部分には電気接続端子２３、２４、２５が設けられている。図中には代表的な接続端子のみ示されている。
【００３１】
配線２６は、パトローネアイコン表示部２０から配線部２３まで、視野領域１８から視野外領域１９に渡って接続されている。配線２６は、視野領域１８内に於いては視野外領域１９内の配線に比べて極力細い線幅で最短距離に配置される。
【００３２】
この配線構成によれば、視野領域１８ではパトローネアイコン表示部２０までの配線２６が目視されにいので、被写体観察の邪魔にならない。又、この配線構成によれば、細い配線を最短距離に配置にして、視野外領域１９での配線を太くしているので、配線２０の抵抗は低抵抗に保たれ、その結果、低温応答性に優れた表示素子が実現されている。
［第一実施形態］
図４及び図５は、本実施形態の動作を示すフローチャートであり、図６は、本実施形態におけるファインダー内の表示手段であるパトローネアイコンの表示状態を示す図である。
【００３３】
図４は撮影ルーチンであり、半押しスイッチ（ＳＷ１）、レリーズスイッチ（ＳＷ２）がオンすると開始する。
【００３４】
撮影ルーチンが開始すると、ミラーアップ（Ｓ１）、露光（Ｓ２）、ミラーダウン（Ｓ３）、フィルム給送（Ｓ４）が次々に行なわれ、フィルム給送が終了すると、撮影枚数カウントダウンが実行され、残りフィルム枚数が更新確定される。尚、フィルム枚数はフィルムの装填時にプリワインディング方式で割り出され記憶されている。（Ｓ５）
ステップＳ５の終了の後、表示サブルーチンが実行される。
【００３５】
図５の表示サブルーチンでは、残りフィルム枚数が所定枚数以下になった時にパトローネアイコンが点滅表示される動作を実現している。
【００３６】
図５の表示サブルーチンが開始すると、先ず、前記所定枚数値Ｎ、及びパトローネアイコンが点滅表示する表示動作時間データ等の初期値が読み込まれ、動作をステップＳ７に移行する。（Ｓ６）
残りフィルム枚数算出手段９が算出した残りフィルム枚数が読み込まれ、動作をステップＳ８に移行する。（Ｓ７）
ステップＳ７で読み込まれた残り枚数が所定枚数値Ｎ以下であるかどうかを判定し、ＹＥＳならば、ステップＳ９へ、ＮＯならば、ＲＥＴＵＲＮへ動作を移行する。（Ｓ８）
残り枚数が所定枚数値Ｎ以下であれば、パトローネアイコン１０が警告のために点灯して点滅表示し、所定時間後に消灯する。（Ｓ９）
ステップＳ９での点滅表示は、撮影動作時の所定タイミングに一度だけ所定時間の点滅表示を行い、再度、半押しスイッチが押され半押しタイマーが起動されても再びアイコンが表示することはない。これは、撮影動作完了時に残り枚数が少なくなったことを警告することが最も認識効果が高く、それ以外のタイミングで再度残り枚数が少なくなったことを警告することは撮影の妨げになることがあるからである。
【００３７】
図６は、ステップＳ９にてファインダーの画面にパトローネアイコン１０を点灯し警告表示する様子を示す。例えば、図５にて所定枚数値Ｎが５であった場合には、残り枚数が５枚以下になった撮影シーケンスにてパトローネアイコン１０が点滅表示される。
［第２実施形態］
本実施形態のカメラの表示装置は、給送モードが単写モードであるか連写モードであるかに応じてパトローネアイコンが点滅表示されるタイミングを最適化している。
【００３８】
図４、図７は、本実施形態のカメラの表示装置の動作を示すフローチャートである。
【００３９】
図４の撮影ルーチンは第１実施形態の場合と同様であるので説明を省略する。
【００４０】
図７の表示サブルーチンが開始すると、先ず、単写の場合の所定枚数値Ｎｓ及び連写の場合の所定枚数値Ｎｐ、撮影情報として設定されているフィルム給送モードの情報、及びパトローネアイコンが点滅表示する表示動作時間データ等の初期値が読み込まれ、動作をステップＳ１１に移行する。（Ｓ１０）
残りフィルム枚数算出手段９が算出した残りフィルム枚数が読み込まれ、動作をステップＳ１２に移行する。（Ｓ１１）
ステップＳ１０で読み込まれたフィルム給送モードを判定し、単写の場合には、ステップＳ１３へ、連写の場合にはステップＳ１４へ動作を移行する。（Ｓ１２）
所定枚数値にＮＳを設定して動作をステップＳ１５に移行する。（Ｓ１３）
所定枚数値にＮＰを設定して動作をステップＳ１５に移行する。（Ｓ１４）
ステップＳ１１で読み込まれた残り枚数がステップＳ１３で設定された所定枚数値以下であるかどうかを判定をし、ＹＥＳならば、ステップＳ１６へ、ＮＯならば、ＲＥＴＵＲＮへ動作を移行する。（Ｓ１５）
パトローネアイコン１０が警告のために点灯して点滅表示し、所定時間後に消灯する。（Ｓ１６）
ステップＳ１６での点滅表示は、撮影動作時の所定タイミングに一度だけ所定時間の点滅表示を行うことは、第１実施形態に於けるステップＳ９の場合と同様である。
【００４１】
図６は、ステップＳ１６にてファインダーの画面にパトローネアイコン１０を点灯し警告表示する様子を示す。
【００４２】
例えば、図７にて所定枚数値としてＮｓ＝５、Ｎｐ＝７が読み込まれている場合には、単写モードでは残りフィルム枚数が５枚以下になった撮影ルーチンにて、連写モードでは残りフィルム枚数が７枚以下になった撮影ルーチンにてパトローネアイコンが警告の為に点滅表示される。このように、撮影を継続した時に残り枚数が速く減ってしまう連写モードでは比較的遅く減る単写モードよりも所定枚数値を多くすることにより早期にパトローネアイコン１０の点滅表示を行い、撮影者へ警告する。
［第３実施形態］
本実施形態のカメラの表示装置は、装填しているフィルムの枚数に応じてパトローネアイコンが点滅表示されるタイミングを最適化している。
【００４３】
図４、図８は、本実施形態のカメラの表示装置の動作を示すフローチャートである。
【００４４】
図４の撮影ルーチンは第１実施形態の場合と同様であるので説明を省略する。
【００４５】
図８の表示サブルーチンが開始すると、先ず、１２枚撮りのフィルム、２４枚撮りのフィルム、及び３６枚撮りのフィルムの各々に対する所定枚数値Ｎ１２、Ｎ２４及びＮ３６や、撮影情報として装填しているフィルムの枚数データの情報、及びパトローネアイコンが点滅表示する表示動作時間データ等の初期値が読み込まれ、動作をステップＳ１８に移行する。（Ｓ１７）
残りフィルム枚数算出手段９が算出した残りフィルム枚数が読み込まれ、ステップＳ１９に動作を移行する。（Ｓ１８）
ステップＳ１７で読み込まれたフィルムの枚数データの情報を判定し、１２枚撮りの場合にはステップＳ２０へ、２４枚撮りの場合にはステップＳ２１へ、３６枚撮りの場合にはステップＳ２２へ動作を移行する。（Ｓ１９）
所定枚数値にＮ１２を設定して動作をステップＳ２３に移行する。（Ｓ２０）
所定枚数値にＮ２４を設定して動作をステップＳ２３に移行する。（Ｓ２１）
所定枚数値にＮ３６を設定して動作をステップＳ２３に移行する。（Ｓ２２）
ステップＳ１８で読み込まれた残り枚数がステップＳ１９で設定された所定枚数値以下であるかどうかを判定をし、ＹＥＳならば、ステップＳ２４へ、ＮＯならば、ＲＥＴＵＲＮへ動作を移行する。（Ｓ２３）
パトローネアイコン１０が警告のために点灯して点滅表示し、所定時間後に消灯する。（Ｓ２４）
ステップＳ２４での点滅表示は、撮影動作時の所定タイミングに一度だけ所定時間の点滅表示を行うことは、第１実施形態に於けるステップＳ９の場合と同様である。
【００４６】
図６は、ステップＳ１６にてファインダーの画面にパトローネアイコン１０を点灯し警告表示する様子を示す。
【００４７】
図８において、例えば所定枚数値としてＮ１２＝２、Ｎ２４＝４、及びＮ３６＝６を設定していた場合には、装填しているフィルムの枚数が１２枚撮りフィルムでは残り枚数が２枚以下になった撮影ルーチンにて、装填しているフィルムの枚数が２４枚撮りフィルムでは残り枚数が４枚以下になった撮影ルーチンにて、そして装填しているフィルムの枚数が３６枚撮りフィルムでは残り枚数が６枚以下になった撮影ルーチンにて、パトローネアイコン１０が図８の如く点滅表示される。
【００４８】
本実施形態のカメラの表示装置によれば、装填しているフィルムの枚数が１２枚撮りのように少なくて、残り撮影可能枚数について最初から用心している場合は警告のタイミングは残り枚数ゼロ近くの少ない枚数値で、逆に装填しているフィルムの枚数が多くて、残り撮影可能枚数に関し注意が薄れ易い場合は警告のタイミングは残り枚数が比較的多い枚数値で早期にパトローネアイコンの点滅表示を行い、撮影者へ警告する。
【００４９】
以上第１実施形態〜第３実施形態では、残りフィルム枚数を、プリワインディング方式でフィルムの装填時にフィルム枚数を割り出し、その後撮影毎に残りフィルム枚数を更新することにより検知したが、本発明は、残りフィルム枚数を他の手段を用いて検知する場合も含まれることは言うまでもない。
【００５０】
又、第１実施形態〜第３実施形態では、撮影毎に所定時間のみパトローネアイコンの点滅表示によって警告表示を行っているが、この警告表示（点滅表示）の後の半押しタイマー中に点灯表示を行なっても良い。警告表示方法は、警報の見落としをしにくく、その後の撮影の邪魔にならないならば、特にこれらに限定されない。例えば点滅表示に変えて点灯表示をしても良い。
【００５１】
又、第１実施形態〜第３実施形態では、各撮影情報に応じ前記所定枚数値を割り当てたが、これを撮影者自らが設定しても良いことは言うまでもない。
【００５２】
又、第１実施形態〜第３実施形態では覗き込み式のファインダーにアイコンで警告表示する例を説明したが、本発明のカメラの表示装置が表示するファインダーはカメラボディ表面上に設けた電子ビューファインダー等、被写体に重ね合わせて表示するものであれば特に方式には限定されない。
【００５３】
又、第１実施形態〜第３実施形態では銀塩写真フィルムを例にして説明したが、本発明はデジタルカメラのコンパクトフラッシュ（登録商標）カード等の電子媒体に対しても適用できることは言うまでもない。
【００５４】
【発明の効果】
本発明のカメラの表示装置によれば、残り撮影可能コマ数が少なくなったときに、視認性の高い方法でファインダーの画面に警告表示するので、意図しないタイミングでフィルム等の撮像媒体の残り撮影可能コマ数が零になり、撮影タイミングを逃すことが少ない。
【図面の簡単な説明】
【図１】第１〜第３実施形態のカメラの表示装置のブロック図である。
【図２】第１〜第３実施形態のカメラの表示装置のファインダーの視野画面の全点灯状態を示す。
【図３】第１〜第３実施形態のカメラの表示装置のファインダーの視野画面に重ね合わせ表示する表示素子を示す。
【図４】第１〜第３実施形態のカメラの表示装置の対象カメラの撮影ルーチンのフローチャートを示す。
【図５】第１実施形態のカメラの表示装置の表示サブルーチンを示す。
【図６】第１〜第３実施形態のカメラの表示装置のファインダーの視野画面へのスプローネアイコンの点滅表示状態を示す。
【図７】第２実施形態のカメラの表示装置の表示サブルーチンを示す。
【図８】第３実施形態のカメラの表示装置の表示サブルーチンを示す。
【符号の説明】
１    制御装置
２    半押しスイッチ
３    レリーズスイッチ
４    フィルム給送手段
５    タイマー回路
６    給送モード選択手段
７    フィルム枚数情報読み取り手段
８    記憶手段
９    フィルム残り枚数検出手段
１０  表示手段（パトローネアイコン）
１１  表示駆動制御手段
１２  視野画面
１４  フィルムリーダーアイコン
１５  電池アイコン
１６  測距エリア
１７  表示素子
１８  視野領域
１９  視野外領域
２０  パトローネアイコン表示部
２１  フィルムリーダーアイコン表示部
２２  電池アイコン表示部
２３、２４、２５  接続端子
２６、２７、２８  配線
２９  下部基板
３０  上部基板
【図１】
2004251929.tif 000003
【図２】
2004251929.tif 000004
【図３】
2004251929.tif 000005
【図４】
2004251929.tif 000006
【図５】
2004251929.tif 000007
【図６】
2004251929.tif 000008
【図７】
2004251929.tif 000009
【図８】
2004251929.tif 000010